(57)【要約】【課題】鼻腔内の衛生環境を向上できる鼻毛カッターを提供する。【解決手段】鼻毛カッター１は、駆動用モーター４１、放電電極５０、高周波発振回路、外刃部２０、および内刃部３０を有する。高周波発振回路は、放電電極５０に高周波電圧を印加する。外刃部２０は、開口部２３および外刃２１を有する。内刃部３０は、内刃３１、電極配置部３４、および連通部３２を有する。内刃部３０は、駆動用モーター４１により駆動する。内刃部３０は、外刃部２０の内部に配置される。【選択図】図１
2015000259.tif 000002
【特許請求の範囲】
【請求項１】
駆動用モーターと、
放電電極と、
前記放電電極に高周波電圧を印加する高周波発振回路と
開口部および外刃を有する外刃部と、
内刃、前記放電電極を配置する電極配置部、および前記電極配置部と前記開口部とを連通させる連通部を有し、前記駆動用モーターにより駆動し、前記外刃部の内部に配置される内刃部と
を備える鼻毛カッター。
【請求項２】
前記鼻毛カッターは、液体貯留部および液体供給部を有し、
前記液体供給部は、前記液体貯留部と前記電極配置部とを接続する
請求項１に記載の鼻毛カッター。
【請求項３】
前記鼻毛カッターは、ファンおよび回転制御部を有し、
前記ファンは、前記電極配置部に配置され、
前記回転制御部は、前記ファンの回転方向を切り替える
請求項１または２に記載の鼻毛カッター。
【発明の詳細な説明】
【技術分野】
【０００１】
本発明は、鼻毛カッターに関する。
【背景技術】
【０００２】
従来の鼻毛カッターは、内刃、外刃、駆動モーター、およびファンを有する（例えば、特許文献１）。駆動モーターは、内刃を駆動させる。ファンは、内刃の駆動にともなって回転する。
【先行技術文献】
【特許文献】
【０００３】
【特許文献１】特開２００７−４４０８２号公報
【発明の概要】
【発明が解決しようとする課題】
【０００４】
鼻腔内の衛生環境の観点から、毛屑および花粉等の物質が鼻腔内に存在することは好ましくない。上記鼻毛カッターは、ファンからの送風により切断した毛屑を鼻腔から除去することができる。しかし、ファンは、毛屑と比較して微小な物質である花粉等のアレルゲンおよびウイルス等を鼻腔内から除去する能力が低い。
【０００５】
本発明は、以上の背景をもとに創作されたものであり、鼻腔内の衛生環境を向上できる鼻毛カッターを提供することを目的とする。
【課題を解決するための手段】
【０００６】
本手段は、駆動用モーターと、放電電極と、前記放電電極に高周波電圧を印加する高周波発振回路と開口部および外刃を有する外刃部と、内刃、前記放電電極を配置する電極配置部、および前記電極配置部と前記開口部とを連通させる連通部を有し、前記駆動用モーターにより駆動し前記外刃部の内部に配置される内刃部とを備える鼻毛カッターを含む。
【０００７】
上記鼻毛カッターは、開口部と連通する部分に放電電極を有する。このため、放電電極に高周波電圧を印加することにより、放電により生じた活性種が鼻腔に放出される。このため、放電により生じた活性種が鼻腔内の花粉等の微小な物質を失活させる。このため、鼻腔内の衛生環境が向上する。
【発明の効果】
【０００８】
本鼻毛カッターは、鼻腔内の微小な物質を効率的に除去できる。
【図面の簡単な説明】
【０００９】
【図１】実施形態の鼻毛カッターの全体構造を示す断面図。
【図２】実施形態の鼻毛カッターの外刃部および内刃部の構造を示す斜視図。
【図３】実施形態の鼻毛カッターの外刃部および内刃部の構造を示す断面図。
【図４】実施形態の鼻毛カッターの電気的な構成を示すブロック図。
【発明を実施するための形態】
【００１０】
本鼻毛カッターの第１の形態は、駆動用モーターと、放電電極と、高周波発振回路と、外刃部と、内刃部とを備える。高周波発振回路は、前記放電電極に高周波電圧を印加する。外刃部は、開口部および外刃を有する。内刃部は、内刃、電極配置部、連通部を有する。内刃部は、駆動用モーターにより駆動する。内刃部は、外刃部の内部に配置される。
【００１１】
上記鼻毛カッターは、開口部と連通する部分に放電電極を有する。このため、放電電極に高周波電圧を印加することにより、放電により生じた活性種が鼻腔に放出される。このため、放電により生じた活性種が鼻腔内の花粉等の微小な物質を失活させる。このため、鼻腔内の衛生環境が向上する。
【００１２】
本鼻毛カッターの第２の形態は、液体貯留部および液体供給部を有する。前記液体供給部は、前記液体貯留部と前記電極配置部とを接続する。
上記鼻毛カッターは、液体供給部を介して液体貯留部の液体が電極配置部に供給される。このため、液体が鼻腔内に供給される。このため、鼻腔内が乾燥することが抑制される。このため、鼻腔内における細菌の繁殖が抑制される。
【００１３】
本鼻毛カッターの第３の形態は、ファンおよび回転制御部を有する。前記ファンは、前記電極配置部に配置される。前記回転制御部は、前記ファンの回転方向を切り替える。
上記鼻毛カッターは、回転方向が切り替わるファンを有する。このため、空気を鼻腔内から排出することと、放電により生じた活性種を鼻腔内に供給することとを１つのファンにより行うことができる。
【００１４】
（実施の形態）
以下、実施の形態の鼻毛カッター１について説明する。
図１に示されるように、鼻毛カッター１は、本体１０、駆動部４０、放電電極５０、液体供給部６０、ファン７０、制御部８０、およびスイッチ９０を有する。また、鼻毛カッター１は、内蔵の電源Ｂにより駆動する。
【００１５】
本体１０は、本体ケース１１、液体貯留部１５、外刃部２０、および内刃部３０を有する。
本体ケース１１は、電源収容部１２、モーター収容部１３、および刃接続部１４を有する。本体ケース１１に液体貯留部１５が取り付けられているとき、本体ケース１１および液体貯留部１５は、外周が楕円形状を有する。本体ケース１１は、先端側の刃接続部１４から基端側の電源収容部１２に向かう長手方向の大きさが、長手方向と直交する幅方向の大きさよりも大きい。なお、長手方向は、駆動部４０の回転軸４２の軸方向と一致する。
【００１６】
電源収容部１２は、内部に電源Ｂを収容する。モーター収容部１３は、内部に駆動部４０の駆動モーター４１を収容する。電源収容部１２およびモーター収容部１３は、本体ケース１１の幅方向に並んで形成されている。電源収容部１２およびモーター収容部１３の間には、制御部８０が配置されている。
【００１７】
刃接続部１４は、外刃部２０および内刃部３０を保持する。刃接続部１４は、空気口１４Ａを有する。空気口１４Ａは、外刃部２０と内刃部３０との間に形成される空間を、鼻毛カッター１の外部と連通する。刃接続部１４は、本体ケース１１の上方の端部に形成されている。
【００１８】
液体貯留部１５は、本体ケース１１のモーター収容部１３の下方かつ電源収容部１２の側方に形成される凹部に取り付けられる。液体貯留部１５は、本体ケース１１から取り外し、および本体ケース１１に取り付けすることができる。液体貯留部１５は、挿入孔１５Ａおよび液体吸入部１５Ｂを有する。液体貯留部１５は、内部に液体（例えば、水）が貯留される。
【００１９】
挿入孔１５Ａは、液体貯留部１５の上端部に形成される。
液体吸入部１５Ｂは、吸水性を有する部材により構成されている。液体吸入部１５Ｂは、液体貯留部１５の内部に配置される。液体吸入部１５Ｂの上端部は、挿入孔１５Ａに取り付けられる。
【００２０】
図２に示されるように、外刃部２０は、外刃２１、外刃ホルダー２２、および開口部２３を有する。外刃２１は、円筒形状を有する。開口部２３は、外刃２１の上方側の端部および外刃２１の周方向に放射状に形成されている。外刃ホルダー２２は、円筒形状を有する。外刃ホルダー２２は、外刃２１を下方から支持する。外刃ホルダー２２の下端部は、刃接続部１４にねじ付けられる。
【００２１】
図３に示されるように、内刃部３０は、内刃３１、内刃ホルダー３２、連通部３３、電極配置部３４、および空気口３５を有する。内刃３１は、外刃２１の内部に位置する。内刃ホルダー３２は、円筒形状を有する。内刃ホルダー３２は、内刃３１を下方から支持する。内刃ホルダー３２は、本体ケース１１に対して回転可能に取り付けられている。内刃ホルダー３２は、駆動部４０の回転コネクター４４に支持される。
【００２２】
連通部３３は、開口部２３と電極配置部３４とを連通する。開口部２３および連通部３３は、鼻毛カッター１の長手方向において直線上に配置されている。電極配置部３４は、内部に放電電極５０、液体供給部６０の一部、およびファン７０を収容する。
【００２３】
空気口３５は、ファン７０よりも下方に形成される。空気口３５は、電極配置部３４を外刃部２０と内刃部３０との間に形成される空間と連通する。空気口３５は、空気口１４Ａの近傍に形成される。
【００２４】
図１に示されるように、駆動部４０は、駆動モーター４１、回転コネクター４４、および軸コネクター４５を有する。
駆動モーター４１は、回転軸４２を有する。回転軸４２は、回転軸液体供給路４３を有する。回転軸液体供給路４３は、接続口４３Ａ（図３参照）および供給口４３Ｂを有する。回転軸液体供給路４３は、回転軸４２を軸方向に貫通する孔として形成されている。
【００２５】
接続口４３Ａは、回転軸液体供給路４３の上方側の端部に形成されている。接続口４３Ａは、電極配置部３４に位置する。供給口４３Ｂは、回転軸液体供給路４３の下方側の端部に形成されている。供給口４３Ｂは、液体貯留部１５内に位置する。
【００２６】
図３に示されるように、回転コネクター４４は、回転軸４２に取り付けられている。回転コネクター４４は、内刃ホルダー３２を支持する。回転コネクター４４は、回転軸４２の回転にともなって回転する。
【００２７】
軸コネクター４５は、刃接続部１４に取り付けられている。軸コネクター４５は、回転コネクター４４と電気的に接続されている。回転コネクター４４および軸コネクター４５は、いわゆるスリップリングとして機能する。
【００２８】
２つの放電電極５０の一方には、電極液体供給路５１を有する。２つの放電電極５０は、電極配置部３４内において互いに対向する位置に配置されている。各放電電極５０は、内刃ホルダー３２の内面に、下方から上方に沿って取り付けられている。２つの放電電極５０の上方側の端部（先端部）は、互いに近づく方に屈曲している。２つの放電電極５０の先端部の間には、放電空間Ｓが形成される。２つの放電電極５０の先端部間の距離は、０．２ｍｍ〜２ｍｍ程度が好ましく、特に０．２ｍｍ〜０．５ｍｍが好ましい。
【００２９】
電極液体供給路５１は、放電電極５０の内部を下方側の端部から先端部に貫通する孔として形成されている。電極液体供給路５１は、液体放出口５１Ａを有する。液体放出口５１Ａは、放電電極５０の先端部に位置する。
【００３０】
液体供給部６０は、接続チューブ６１、軸側供給コネクター６２、電極側供給コネクター６３、回転軸液体供給路４３、および電極液体供給路５１を含んで構成される。
接続チューブ６１は、接続流路６１Ａを有する。接続流路６１Ａは、チューブ６１を貫通して形成されている。軸側供給コネクター６２は、接続流路６１Ａおよび回転軸液体供給路４３を接続する。電極側供給コネクター６３は、接続流路６１Ａと電極液体供給路５１とを接続する。
【００３１】
液体貯留部１５内の液体は、液体吸入部１５Ｂから供給口４３Ｂを介して回転軸液体供給路４３内に供給される。回転軸液体供給路４３内に供給された液体は、接続口４３Ａおよび軸側供給コネクター６２を介して接続チューブ６１の接続流路６１Ａに供給される。接続流路６１Ａ内に供給された液体は、電極側供給コネクター６３を介して電極液体供給路５１に供給される。電極液体供給路５１に供給された液体は、液体放出口５１Ａから放電空間Ｓに供給される。液体供給路４３，５１は、小径の貫通孔として形成されている。このため、液体は毛細管現象により液体貯留部１５から放電空間Ｓに供給される。
【００３２】
ファン７０は、電極配置部３４の内部において、回転軸４２の上端部に取り付けられている。ファン７０は、駆動モーター４１の回転にともなって回転する。ファン７０は、一方（以下、「第１回転方向」）に回転するとき、開口部２３から外刃部２０および内刃部３０の内部に外部の空気を吸入する。ファン７０は、他方（以下、「第２回転方向」）に回転するとき、電極配置部３４の内部の空気を開口部２３から外刃部２０の外側に排出する。
【００３３】
図４を参照して、鼻毛カッター１の電気的な構成について説明する。
制御部８０は、回転制御部８１および高周波発振回路８２を有する。
スイッチ９０は、スライド式のスイッチとして構成される。スイッチ９０は、本体ケース１１（図１参照）の電源収容部１２に取り付けられている。スイッチ９０は、本体ケース１１から露出している。スイッチ９０のスライド位置は、停止スライド位置、駆動スライド位置、および放電スライド位置に変化する。
【００３４】
スイッチ９０が停止スライド位置にあるとき、電源Ｂから回転制御部８１および高周波発振回路８２への電力の供給が遮断される。
スイッチ９０が駆動スライド位置にあるとき、回転制御部８１に電源Ｂから電力が供給される。スイッチ９０が駆動スライド位置にあるとき、高周波発振回路８２への電源Ｂからの電力の供給が遮断される。
【００３５】
スイッチ９０が放電スライド位置にあるとき、回転制御部８１に電源Ｂから電力が供給される。スイッチ９０が駆動スライド位置にあるとき、高周波発振回路８２に電源Ｂから電力が供給される。
【００３６】
回転制御部８１は、スイッチ９０のスライド位置が駆動スライド位置にあるとき、駆動モーター４１を第１回転方向に回転させる。回転制御部８１は、スイッチ９０のスライド位置が放電スライド位置にあるとき、駆動モーター４１を第２回転方向に回転させる。
【００３７】
高周波発振回路８２は、スイッチ９０のスライド位置が放電スライド位置にあるとき、放電電極５０に高周波電圧を印加する。高周波発振回路８２から発生した高周波電圧は、回転コネクター４４（図３参照）を介し、放電電極５０に伝達される。なお、放電電極５０に印加される高周波電圧の周波数は、３０ｋＨｚ〜３００ｋＨｚが好ましく、６０〜１２０ｋＨｚがさらに好ましい。また、高周波電圧の振幅は、０．５〜２０ｋＶが好ましく、１〜１０ｋＶがさらに好ましい。
【００３８】
図１を参照して、鼻毛カッター１の動作について説明する。
使用者が本体ケース１１および液体貯留部１５を把持した状態で鼻毛カッター１の外刃２１を鼻腔内に挿入すると、開口部２３から外刃２１の内部に鼻毛が導入される。使用者は、この状態においてスイッチ９０のスライド位置を変更する。
【００３９】
スイッチ９０のスライド位置が停止スライド位置から駆動スライド位置に変化したとき、駆動モーター４１が第１回転方向に回転することにより、回転軸４２、回転コネクター４４、放電電極５０、内刃部３０、およびファン７０が第１回転方向に回転する。開口部２３から外刃２１の内部に導入された鼻毛は、外刃２１および内刃３１によりせん断される。せん断された毛屑は、ファン７０により電極配置部３４の内部に吸引される。電極配置部３４の内部の毛屑は、空気口３５を介して外刃ホルダー２２内に移動する。
【００４０】
スイッチ９０のスライド位置が停止スライド位置から放電スライド位置に変化したとき、駆動モーター４１が第２回転方向に回転することにより、回転軸４２、回転コネクター４４、放電電極５０、内刃部３０、およびファン７０が第２回転方向に回転する。また、放電電極５０に高周波電圧が印加される。
【００４１】
放電空間Ｓは、液体供給部６０により供給された液体、および空気中に含まれる水分が存在している。このため、放電電極５０に印加された高周波電圧により放電空間Ｓにおいてグロー放電が生じる。グロー放電により、放電空間Ｓの液体および水分が微細化される。また、グロー放電により、ＨＮＯ３、ヒドロキシラジカル、およびマイナスイオン等の活性種が発生する。微細化された液体および発生した活性種は、ファン７０により開口部２３の外部、すなわち鼻腔内に放出される。
【００４２】
スイッチのスライド位置が駆動スライド位置または放電スライド位置から停止スライド位置に変化したとき、電源Ｂからの電力の供給が遮断され、鼻毛カッター１は、運転を停止する。
【００４３】
鼻毛カッター１の作用について説明する。
鼻腔内には、花粉およびハウスダスト等のアレルゲンとなる大気中の浮遊物、およびウイルスおよび細菌等の微小な物質が呼吸にともなって侵入している。アレルゲンは粘膜に接触すると、アレルギー反応を生じることがある。ウイルスおよび細菌等は、感染症の原因となる。
【００４４】
鼻毛カッター１は、放電電極５０を有する。このため、グロー放電により発生した活性種が開口部２３から鼻腔内に放出される。このため、アレルゲン、細菌、およびウイルス等の微小な物質を効果的に不活化することができる。このため、鼻毛カッター１は、アレルギーの予防、および感染症の予防の効果を期待することができる。
【００４５】
また、花粉等は正に帯電するといわれている。このため、マイナスイオンを含んだ活性種は、選択的に花粉等の正に帯電したアレルゲンに付着する。このため、アレルゲンの不活化効果が高い。
【００４６】
グロー放電以外の放電、例えばコロナ放電により活性種を発生させるとき、オゾンが生成される場合がある。オゾンは、悪臭を生じる。鼻毛カッター１は、鼻腔内に配置して使うため、悪臭の問題が顕著になる。鼻毛カッター１は、グロー放電により活性種を発生させる。このため、コロナ放電と比較してオゾンの発生が抑制される。このため、オゾンによる悪臭が発生することが抑制される。このため、使用者の使い心地が悪くなる。
【００４７】
鼻腔内の粘膜の乾燥は、衛生環境の観点から好ましくない。鼻毛カッター１は、液体供給部６０を有する。このため、グロー放電によって微細化した液体が鼻腔内に付与される。このため、鼻腔内の粘膜の乾燥を抑制することができる。このため、鼻腔内の衛生環境を向上することができる。
【００４８】
鼻毛カッター１は、ファン７０を有する。ファン７０は、第２回転方向に回転することにより、電極配置部３４内の気体を開口部２３に送風する。このため、活性種を鼻腔内に好適に送出することができる。
【００４９】
鼻毛カッター１は、以下の効果を奏する。
（１）鼻毛カッター１は、開口部２３と連通する部分に放電電極５０を有する。このため、放電電極５０に高周波電圧を印加することにより、放電により生じた活性種が鼻腔に放出される。このため、放電により生じた活性種が鼻腔内の花粉等の微小な物質を失活させる。このため、鼻腔内の衛生環境が向上する。このため、アレルギーの抑制およびウイルス感染症の予防等の効果が期待できる。
【００５０】
（２）鼻毛カッター１は、内刃３１の回転により、外刃２１との間に導入された鼻毛をカットすることができる。このため、余分な鼻毛を短く整え、外観を良くすることができる。
【００５１】
（３）鼻毛カッター１は、液体供給部６０を介して液体貯留部１５の液体が電極配置部３４に供給される。このため、液体が鼻腔内に供給される。このため、鼻腔内が乾燥することが抑制される。このため、鼻腔内における細菌の繁殖が抑制される。
【００５２】
（４）鼻毛カッター１は、ファン７０により鼻腔内の毛屑を吸引できる。このため、鼻腔内を清潔にすることができる。また、ファン７０により活性種を鼻腔内に送出できる。このため、鼻腔内の微小な物質の失活効果を高めることができる。
【００５３】
（５）鼻毛カッター１は、回転方向が切り替わるファン７０を有する。このため、空気を鼻腔内から排出することと、放電により生じた活性種を鼻腔内に供給することとを１つのファン７０により行うことができる。
【００５４】
（６）鼻毛カッター１は、空気口１４Ａおよび空気口３５を有する。空気口１４Ａ，３５は、ファン７０よりも下方において電極配置部３４と鼻毛カッター１の外部の空間とを連通する。このため、ファン７０が回転したとき、送風効率が向上する。また、空気口１４Ａ，３５は、互いに近傍に位置する。このため、空気口１４Ａ，３５が離れている構成と比較して、圧力損失が低い。このため、空気口１４Ａ，３５が離れている構成と比較して、送風効率が高い。
【００５５】
（７）鼻毛カッター１は、グロー放電を行う。このため、コロナ放電を行う構成と比較して、オゾンの発生が抑制される。このため、オゾンにより使い心地が低下することが抑制される。
【００５６】
（８）液体供給部６０は、毛細管現象により液体貯留部１５の液体を電極配置部３４に供給している。このため、ポンプ等を用いて液体を供給する構成と比較して、鼻毛カッター１の小型化に貢献できる。
【００５７】
（９）外刃部２０は、刃接続部１４にねじ付けられている。このため、外刃部２０は、刃接続部１４から取り外すことができる。このため、外刃部２０と刃接続部１４の間に溜まった毛屑を簡単に取り除くことができる。
【００５８】
（その他の実施形態）
本鼻毛カッターは、上記実施形態以外の実施形態を含む。以下、本鼻毛カッターのその他の実施形態としての上記実施形態の変形例を示す。
【００５９】
・実施形態の鼻毛カッター１は、グロー放電を行う放電電極５０を有する。ただし、鼻毛カッター１の構成はこれに限られない。例えば、変形例の鼻毛カッター１は、コロナ放電を行う放電電極５０を有する。
【００６０】
・実施形態の液体供給部６０は、電極液体供給路５１から電極配置部３４に液体を供給する。ただし、液体供給部６０の構成はこれに限られない。例えば、変形例の液体供給部６０は、電極液体供給路５１を省略し、接続流路６１Ａまたは回転軸液体供給路４３が電極配置部３４に液体を供給する。この場合、接続流路６１Ａまたは回転軸液体供給路４３を放電空間Ｓの近傍まで延長することもできる。
【００６１】
・実施形態の液体供給部６０は、毛細管現象により電極配置部３４に液体を供給する。ただし、液体供給部６０の構成はこれに限られない。例えば、変形例の液体供給部６０は、ポンプを有する。ポンプは、駆動モーター４１により駆動される。ポンプは、液体貯留部１５から電極配置部３４に液体を送出する。
【００６２】
・実施形態の鼻毛カッター１は、液体供給部６０および液体貯留部１５を有する。ただし、鼻毛カッター１の構成はこれに限られない。例えば、変形例の鼻毛カッター１は、液体供給部６０および液体貯留部１５を省略している。
【００６３】
・実施形態の鼻毛カッター１は、回転方向が切り替わるファン７０を有する。ただし、鼻毛カッター１の構成はこれに限られない。例えば、変形例の鼻毛カッター１は、第１回転方向に回転するファンと、第２回転方向に回転するファンを有する。この場合、第１回転方向に回転するファンと、第２回転方向に回転するファンとは、各別に駆動する。
【００６４】
・実施形態の鼻毛カッター１は、ファン７０の回転軸、開口部２３、および連通部３３が直線上に配置される。ただし、鼻毛カッター１の構成はこれに限られない。要するに、放電空間Ｓに生じた活性種が開口部２３に送出できる構成であれば、ファン７０の回転軸、開口部２３、および連通部３３の位置関係は適宜変更することができる。
【００６５】
・実施形態の鼻毛カッター１は、ファン７０を有する。ただし、鼻毛カッター１の構成はこれに限られない。例えば、変形例の鼻毛カッター１は、ファン７０を省略している。
・実施形態の鼻毛カッター１に次の構成を採用することもできる。すなわち、内刃部３０を、刃接続部１４から取り外しすることができる取り外し構造を採用する。取り外し構造としては、例えば、内刃ホルダー３２を長手方向に分割する組み付け構造が採用できる。この場合、内刃部３０の内部に入り込んだ毛屑を簡便に取り除くことができる。
【００６６】
・実施形態の鼻毛カッター１は、内蔵の電源Ｂにより駆動する。ただし、鼻毛カッター１の構成はこれに限られない。例えば、変形例の鼻毛カッター１は、外部の電源により駆動する。
【００６７】
・実施形態の鼻毛カッター１は、スイッチ９０が駆動スライド位置にあるとき、高周波発振回路８２への電源Ｂからの電力の供給が遮断される。ただし、鼻毛カッター１の構成はこれに限られない。例えば、変形例の鼻毛カッター１は、スイッチ９０が駆動スライド位置にあるとき、高周波発振回路８２に電源Ｂから電力がされる。
【００６８】
・実施形態の鼻毛カッター１は、スライド式のスイッチ９０を有する。ただし、鼻毛カッター１の構成はこれに限られない。例えば、変形例の鼻毛カッター１は、ボタン式のスイッチ９０を有する。要するに、使用者が鼻毛カッター１を操作できる態様であれば、いずれの構成を採用することもできる。
【００６９】
・実施形態の鼻毛カッター１は、内刃３１が回転する。ただし、鼻毛カッター１の構成はこれに限られない。例えば、変形例の鼻毛カッター１は、内刃３１が直線方向に往復運動する。要するに、内刃３１と外刃２１との間に挟まれた鼻毛がせん断される構成であれば、いずれの構成を採用することもできる。
【００７０】
・実施形態の鼻毛カッター１は、鼻腔内に配置して使用したが、口腔および耳孔に配置して使用することもできる。この場合、鼻毛カッター１は、口腔内の殺菌、耳孔内の老廃物除去等を行うことができる。
【００７１】
（実施形態の記載に基づく付記事項）
上記実施形態に記載の事項を上位概念化した事項を以下に記載する。
（付記１）前記放電電極は、グロー放電を生じる鼻毛カッター。
（付記２）前記液体供給部は、前記駆動モーターの回転軸に形成される回転軸液体供給路を含んで構成される鼻毛カッター。
（付記３）前記液体供給部は、前記放電電極に形成される電極液体供給路を含んで構成される鼻毛カッター。
（付記４）前記ファンの回転軸、前記開口部、および前記連通部が直線上に配置される鼻毛カッター。
【符号の説明】
【００７２】
１…鼻毛カッター、２０…外刃部、２１…外刃、２３…開口部、３０…内刃部、３１…内刃、３３…連通部、３４…電極配置部、４１…駆動モーター、５０…放電電極、６０…液体供給部、７０…ファン、８０…制御部、８１…回転制御部、８２…高周波発振回路。
【図１】
2015000259.tif 000003
【図２】
2015000259.tif 000004
【図３】
2015000259.tif 000005
【図４】
2015000259.tif 000006